(57)【要約】【課題】軽く、かつ、省スペースのインフレータブルボックスを提供することを課題としている。【解決手段】本考案のインフレータブルボックス１は、膨張させることで容器になるインフレータブルボックス１であって、容器部２の枠組みをなす気室４０、５０と、気室４０、５０の間を閉塞する平面部６１〜６５と、を一体に備えて構成されている。気室４０（５０）は、容器部２の水平形状をなす横枠部４１ａ〜４１ｄと、横枠部４１ａ〜４１ｄを支える縦枠部４２ａ、４２ｂと、から構成されることが好ましい。【選択図】図１
0003218016.tif 000002
【実用新案登録請求の範囲】
【請求項１】
膨張させることで容器になるインフレータブルボックスであって、
前記容器の枠組みをなす気室と、
前記気室の間を閉塞する平面部と、
を一体に備えて構成される、インフレータブルボックス。
【請求項２】
前記気室は、前記容器の水平形状をなす横枠部と、前記横枠部を支える縦枠部と、から構成される、請求項１に記載されたインフレータブルボックス。
【請求項３】
前記気室は、前記容器の正面及び左側面を構成する第1の気室と、前記容器の背面及び右側面を構成する第２の気室と、から構成される、請求項１又は請求項２に記載されたインフレータブルボックス。
【請求項４】
前記容器の開口部を閉塞する蓋部をさらに備える、請求項１乃至請求項３のいずれか一項に記載されたインフレータブルボックス。
【考案の詳細な説明】
【技術分野】
【０００１】
本考案は、ボックス本体の枠組をなすチューブ（「気胴」、「気室」ともいう。）に空気を入れて膨らませる方式の樹脂製ボックスであるインフレータブルボックスに関するものである。
【背景技術】
【０００２】
従来から、スポーツ観戦やレジャースポットにて、大切な荷物の置き場所に困ってしまうことが多い。例えば、スポーツ観戦をする際には、観客席の床面は長年の汚れが蓄積されていたりするし、後ろの席の観客が誤ってビールをこぼしたりすることも多い。そうすると、大切な荷物が汚れてしまうおそれがある。
【先行技術文献】
【特許文献】
【０００３】
【特許文献１】特開昭６１−３４２６０号公報
【考案の概要】
【考案が解決しようとする課題】
【０００４】
そのため、荷物の置き場所を確保するために、クーラーボックスを持ち運ぶことも多くなってきている。しかし、荷物を置く場所のために、重いうえにスペースをとるクーラーボックスを持ち運ぶのは現実的ではない。
【０００５】
そこで、本考案は、軽く、かつ、省スペースのインフレータブルボックスを提供することを目的としている。
【課題を解決するための手段】
【０００６】
前記目的を達成するために、本考案のインフレータブルボックスは、膨張させることで容器になるインフレータブルボックスであって、前記容器の枠組みをなす気室と、前記気室の間を閉塞する平面部と、を一体に備えて構成されている。
【考案の効果】
【０００７】
このように、本考案のインフレータブルボックスは、膨張させることで容器になるインフレータブルボックスであって、容器の枠組みをなす気室と、気室の間を閉塞する平面部と、を一体に備えて構成されている。したがって、軽く、かつ、空気を抜いて折り畳むことで省スペースのインフレータブルボックスとなる。
【図面の簡単な説明】
【０００８】
【図１】蓋をされていない状態のインフレータブルボックスの斜視図である。
【図２】蓋をされた状態のインフレータブルボックスの斜視図である。
【図３】インフレータブルボックスの正面図である。
【図４】インフレータブルボックスの背面図である。
【図５】折り畳まれた状態のインフレータブルボックスの斜視図である。
【考案を実施するための形態】
【０００９】
以下、本考案の実施の形態について図面を参照して説明する。
【実施例】
【００１０】
（構成）
はじめに、図１〜図４を用いて本考案のインフレータブルボックス１の全体構成を説明する。本考案のインフレータブルボックス１は、図１〜図４に示すように、空気を入れて膨張させることで、上部が開口した直方体状の容器となるものであり、容器部２と、蓋部３と、から一体に構成されている。
【００１１】
蓋部３は、容器部２の上部開口の長辺に取り付けられるものであり、合成樹脂などによって平面状乃至フラップ状に形成されている。より詳細に言えば、蓋部３は、平面部と側縁部とから構成されており、側縁部は後述する容器部２の側壁の上部を覆うようにされている。なお、本実施例では、蓋部３としてフラップ状の構造について説明したが、これに限定されるものではなく、容器部２と同様の構造の膨張式のものであってもよい。この場合、蓋部は容器部よりも一回り大きい平面形状となるように構成される。
【００１２】
容器部２は、容器の枠組みをなす気室４０、５０と、気室の間を閉塞する平面部６１〜６５と、から構成されている。より詳細に言うと、気室４０、５０は、容器部２の正面及び左側面を構成する第1の気室４０と、容器２の背面及び右側面を構成する第２の気室５０と、から構成される。
【００１３】
第1の気室４０は、図１及び図３に示すように、容器部２の水平形状をなす横枠部４１ａ〜４１ｄと、横枠部４１ａ、４１ｂを支える縦枠部４２ａ、４２ｂとから構成されている。すなわち、正面の平面部６１は、横枠部４１ｂ、４１ｄと縦枠部４２ａ、４２ｂとによって自立する平面を構成している。また、左側面の平面部６４は、横枠部４１ａ、４１ｃと縦枠部４２ｂに加えて後述する第２の気室５０の縦枠部５２ａとによって自立する平面を構成している。
【００１４】
そして、正面の平面部６１の下の横枠部４１ｄの右寄りの位置には、空気栓４３が取り付けられている。この空気栓４３から空気を入れて膨らませることによって、互いに連通した横枠部４１ａ〜４１ｄ及び縦枠部４２ａ、４２ｂが膨らむようになっている。
【００１５】
同様に、第２の気室５０は、図１及び図４に示すように、容器部２の水平形状をなす横枠部５１ａ〜５１ｄと、横枠部５１ａ、５１ｂを支える縦枠部５２ａ、５２ｂとから構成されている。すなわち、背面の平面部６２は、横枠部５１ｂ、５１ｄと縦枠部５２ａ、５２ｂとによって自立する平面を構成している。また、右側面の平面部６３は、横枠部５１ａ、５１ｃと縦枠部５２ｂに加えて前述した第１の気室４０の縦枠部４２ａとによって自立する平面を構成している。
【００１６】
そして、背面の平面部６２の下の横枠部５１ｄの右寄りの位置には、空気栓５３が取り付けられている。この空気栓５３から空気を入れて膨らませることによって、互いに連通した横枠部５１ａ〜５１ｄ及び縦枠部５２ａ、５２ｂが膨らむようになっている。
【００１７】
（収納方法）
次に、本考案のインフレータブルボックス１の収納方法について説明する。インフレータブルボックス１は、以下の（１）〜（６）の手順で収納できる。
（１）前後の空気栓４３、５３から空気を抜く。
（２）床接地面となる底面６５（下面）を、内側へ折り畳む。
（３）空気栓４３、５３を指でつまみ、空気栓４３、５３から空気を抜く。
（４）蓋部３は外側に折り畳む。
（５）軽く圧力を加えながら、空気を抜き、さらに半分に折り畳む。
（６）付属のケースに収納して、収納が完了する。
【００１８】
（作用・効果）
次に、本考案のインフレータブルボックス１の奏する作用・効果を列挙して説明する。
【００１９】
（１）本考案のインフレータブルボックス１は、膨張させることで容器になるインフレータブルボックス１であって、容器部２の枠組みをなす気室４０、５０と、気室４０、５０の間を閉塞する平面部６１〜６５と、を一体に備えて構成されている。したがって、軽く、かつ、空気を抜いて折り畳むことで省スペースのインフレータブルボックス１となる（図５参照のこと）。
【００２０】
したがって、軽量でコンパクトであり、持ち運びに適している。空気を注入することで、簡易的なボックスを形成できる。雨や後部左右からの飲料こぼれなどを気にすることなく、大切な衣類やカバンを座席下へ収納することが可能である。ビニールの材質上、衛生面に優れ、使用後は床接地面を内側に折り畳み収納が行える。
【００２１】
さらに、平面部６１〜６４（６５）を備えることで、応援グッズなどに適用する際の多様性を保持できる。例えば、平面部６１〜６４（６５）への印刷（プリント）など、チームのＰＲや個別選手用のグッズとしての販促宣伝効果が大きい。この他、野球観戦やサッカー観戦だけではなく、レジャーやスポーツを含む日常生活でも使用することが可能であるから、いっそうチームのＰＲ効果が見込める。
【００２２】
（２）また、気室４０（５０）は、容器部２の水平形状をなす横枠部４１ａ〜４１ｄと、横枠部４１ａ〜４１ｄを支える縦枠部４２ａ、４２ｂと、から構成されるため、空気を入れることで容器部２を立体の箱状（容器状）に形成することができる。
【００２３】
（３）さらに、気室（４０、５０）は、容器部２の正面及び左側面を構成する第1の気室４０と、容器部２の背面及び右側面を構成する第２の気室５０と、から構成される。このように２分割することによって、各気室４０、５０内の気圧を必要な圧力まで高めることができる。さらに、気室があまりに細分化されすぎることで、膨張させる手間が増えすぎることを防止できる。
【００２４】
（４）また、容器部２の開口部を閉塞する蓋部３をさらに備えることで、屋外で急に雨が降ってきたような場合でも、蓋部３によって容器部２を覆うことによって、簡易的な防水構造とすることができる。
【００２５】
以上、図面を参照して、本考案の実施例を詳述してきたが、具体的な構成は、この実施例に限らず、本考案の要旨を逸脱しない程度の設計的変更は、本考案に含まれる。
【符号の説明】
【００２６】
１        インフレータブルボックス
２        容器部
３        蓋部
４０      第１の気室
４１ａ〜４１ｄ  横枠部
４２ａ、４２ｂ  縦枠部
４３      空気栓
５０      第２の気室
５１ａ〜５１ｄ  横枠部
５２ａ、５２ｂ  縦枠部
５３      空気栓
６１〜６５  平面部
【図１】
0003218016.tif 000003
【図２】
0003218016.tif 000004
【図３】
0003218016.tif 000005
【図４】
0003218016.tif 000006
【図５】
0003218016.tif 000007